(57)【要約】 【課題】  背負式電気掃除機において、収容した塵埃を外部に廃棄するために、掃除機本体を背負ったままでダストケースを着脱可能にすることは困難であった。【解決手段】  電動送風機１２を内蔵し背負バンド２が取付けられた掃除機本体３と、この掃除機本体３に設け側方開口２９からほぼ水平方向に延びたケース支持部３１と、前記側方開口２９から挿脱自在となって前記ケース支持部３１に保持され、吸込口４９および吐出口４５を有する集塵用のダストケース４と、前記吐出口４５に近接するとともに前記電動送風機１２に連通して前記ケース支持部３１に設けた吸引口２７と、前記ダストケース４の前記吸込口４９に一端が連通され他端が吸込口体８に連通される吸込ホース５とを備えた背負式電気掃除機である。  【選択図】  図３  
2005334449.tif 000002
【特許請求の範囲】
【請求項１】
電動送風機を内蔵し背負バンドが取付けられた掃除機本体と、この掃除機本体に設け側方開口からほぼ水平方向に延びたケース支持部と、前記側方開口から挿脱自在となって前記ケース支持部に保持され、吸込口および吐出口を有する集塵用のダストケースと、前記吐出口に近接するとともに前記電動送風機に連通して前記ケース支持部に設けた吸引口と、前記ダストケースの前記吸込口に一端が連通され他端が吸込口体に連通される吸込ホースとを備えたことを特徴とする背負式電気掃除機。
【請求項２】
前記ケース支持部の側方開口を前記掃除機本体の左右両側に設けるとともに、前記ダストケースは左右のいずれか一方に位置して設けた前記吸込口に前記吸込ホースを接続し、前記掃除機本体の左右いずれの方向からも前記ケース支持部に前記ダストケースを挿脱可能としたことを特徴とする請求項１に記載の背負式電気掃除機。
【請求項３】
前記ダストケースは筒状の容器とし、前記ケース支持部は前記ダストケースの外周面との間に所定の空隙を有する環状壁を備えるとともに、この環状壁に前記ダストケースを押圧する押圧機構を設けたことを特徴とする請求項１または請求項２に記載の背負式電気掃除機。
【請求項４】
前記ケース支持部と前記ダストケースとの間に、前記ダストケースを前記ケース支持部の側方開口から挿脱するときのガイド機構および位置決め機構とを設けたことを特徴とする請求項１から請求項３のいずれかに記載の背負式電気掃除機。
【請求項５】
前記ケース支持部に有する側方開口の周囲に、前記ダストケースの挿入を容易にするガイド斜面を設けたことを特徴とする請求項１から請求項４のいずれかに記載の背負式電気掃除機。
【発明の詳細な説明】
【技術分野】
【０００１】
本発明は、背中に背負って床面等の被清掃面の清掃作業が可能な背負式電気掃除機に関する。
【背景技術】
【０００２】
従来の電気掃除機としては、キャニスター型やアプライト型（縦型）のものが多く利用され、いずれも使用時には床面等の被清掃面上を移動して清掃作業が行われる。これらの場合、被清掃面が平滑面ではなく階段などの段部が多く存在したり、家具などの障害物が多く置かれている室内では使い勝手の悪いものであった。これらの欠点を解消するために、掃除機本体を背負って移動する背負式の電気掃除機が用いられてきた。
【０００３】
例えば、空気流を発生させる羽根車等を有したモータ（電動送風機）を内蔵し、人体への背負い具が固定された上ケーシングに、サイクロン式掃除アセンブルを覆った下ケーシングを、複数のラッチにより着脱自在に取付けたものが存在する。この場合、下ケーシングの内部に収集された塵埃は、ラッチを解除して上ケーシングから下ケーシングを下方に引き離して反転させることにより廃棄する構成となっている。（例えば、特許文献１参照）
【０００４】
また、従来のアプライト型の電気掃除機において、掃除機本体の側方から塵埃が収集された塵埃カップを着脱可能にして、塵埃を容易に外部に廃棄可能としたものがある。この場合、掃除機本体に設け床ブラシから吸引した空気を流出させる吸気管の流出口に、側方から集塵カップの流入口を係合するとともに、集塵カップのクランプ部を掃除機本体の係合受部に係合して、掃除機本体に集塵カップを着脱自在に取付けている。（例えば、特許文献２参照）
【特許文献１】特開平６−５４７７８号公報（第８欄、図２）
【特許文献２】特開２００３−１８０５８３号公報（第１０欄、図１）
【発明の開示】
【発明が解決しようとする課題】
【０００５】
このような従来例において、前者の場合は、収容した塵埃を外部に廃棄するために、掃除機本体を背負った状態で、作業者が掃除機本体である上ケーシングとダストケースである下ケーシングとを着脱することはできない。また後者の場合は、掃除機本体の側方からダストケースである集塵カップを着脱可能にするものと考えられるが、その構成は複雑であり、背負式の電気掃除機に採用できたとしても、掃除機本体を背負ったままでダストケースである集塵カップを着脱可能にすることは困難であった。
【０００６】
本発明は、上記事情に鑑みなされたものであって、作業者が掃除機本体を背負ったままの状態でダストケースを着脱自在として、塵埃の廃棄を可能とする背負式電気掃除機を提供することを目的とする。
【課題を解決するための手段】
【０００７】
本発明は、背負式電気掃除機において、電動送風機を内蔵し背負バンドが取付けられた掃除機本体と、この掃除機本体に設け側方開口からほぼ水平方向に延びたケース支持部と、前記側方開口から挿脱自在となって前記ケース支持部に保持され、吸込口および吐出口を有する集塵用のダストケースと、前記吐出口に近接するとともに前記電動送風機に連通して前記ケース支持部に設けた吸引口と、前記ダストケースの前記吸込口に一端が連通され他端が吸込口体に連通される吸込ホースとを備えたことを主要な特徴とする。
【発明の効果】
【０００８】
本発明の背負式電気掃除機は、作業者が背中に背負ったままで掃除機本体からダストケースを着脱自在にして、集積した塵埃を外部に廃棄可能とすることができる。
【発明を実施するための最良の形態】
【０００９】
以下、本発明による背負式電気掃除機の実施態様について、図１から図１４を参照して説明する。
【実施例１】
【００１０】
図１、図２は、この発明の１つの実施形態に係る背負式電気掃除機１を、作業者が背中に背負って床面等の被清掃面を清掃している状態を示している。この背負式電気掃除機１は、背負うための背負バンド２が掃除機本体３に固定され、この掃除機本体３には、内部に塵埃を収容するほぼ円筒状のダストケース４が挿脱可能に取付けられている。また、ダストケース４の一方端部には、螺旋状のワイヤが外周部に巻かれて可撓性を有する吸込ホース５の一端が着脱可能に取付けられ、その他端には把手パイプ６を介して伸縮自在な延長管７が接続されている。この延長管７の先端には、室内の床面、階段などの表面から塵埃を吸引可能な吸込口体８が取付けられている。なお、この吸込口体８は、使用場所により延長管７を介さずに直接吸込ホース５に取付けることができる。
【００１１】
次に、図２から図１１により、この背負式電気掃除機１の具体的構成を説明する。掃除機本体３は、ほとんどが本体ケース１０と本体カバー１１とで覆われ、その内部に回転翼およびモータ部からなる電動送風機１２が図示しない支持体に固定されている。また本体カバー１１の開口部１３は、この電動送風機１２を覆うように、環状の上カバー１４とほぼ円盤状の蓋カバー１５が取付られている。電動送風機１２は、図示しない電源スイッチを操作して駆動することにより、図３および図４において、下方から吸引して上方に排気する気流を発生させる周知のものである。
【００１２】
電動送風機１２の下方には、四角い補助フィルタ１６が固定された箱状のフィルタ室１７が設けられて、電動送風機１２の排気側には、第１排気フィルタ１８および第２排気フィルタ１９がそれぞれ掃除機本体３の支持枠２０に取付けられている。また、第１排気フィルタ１８は、スリット状に多数の排気孔２１を有する排気カバー２２により覆われ、第２排気フィルタ１９は、流出孔２３を有する前記本体ケース１０により覆われている。また、フィルタ室１７には、補助フィルタ１６の上方に位置して電動送風機１２に向かう多数のスリット孔２６が設けられ、下方に位置してほぼ四角形の吸引口２７を形成する突出部２８が設けられている。これらの吸引口２７および突出部２８は、掃除機本体３の中央部に位置して設けられている。
【００１３】
吸引口２７の下方には、掃除機本体３の左右に位置する両側が側方開口２９となり、水平方向に延びて円筒状の中空部を形成する環状壁３０を備えたケース支持部３１が、本体ケース１０の一部として一体的に形成されている。環状壁３０の上面中央部には四角形の壁面開口３２を備え、この壁面開口３２には、吸引口２７を有する前記突出部２８の先端が嵌合している。また、壁面開口３２の前後に位置する環状壁３０には、一対の突出孔３３が開口され、その突出孔３３からは、板バネ３４の付勢により下方に突出した一方のガイド機構となるガイド突起３５がそれぞれ固定されている。これらの突出孔３３およびガイド突起３５は、環状壁３０の両側にある側方開口２９からそれぞれ内方に向かって同一寸法の位置に左右対称的に配置されている。さらに、壁面開口３２の左右に位置する環状壁３０には、コイルとコアからなる電磁石３６が各々固定されている。また、左右の側方開口２９の外周部には、中心に向かってなだらかに傾斜するガイド斜面３７がそれぞれ環状に設けられている。
【００１４】
円筒状の中空部であるケース支持部３１には、その左右両端の側方開口２９から挿脱自在な円筒状の前記ダストケース４が保持されている。このダストケース４の主要部を占める円筒部３８の外径は、環状壁３０の内径よりも少し小さな寸法とすることで、両方の間に空隙３９を設けており、この空隙３９の存在によりダストケース４を側方開口２９からケース支持部３１に挿脱するのが容易となっている。円筒部３８の前後に位置する両端部は、球面を有する端部カバー４０で気密に覆われ、その一方の端部カバー４０には吸込ホース５の一端部が必要時に着脱可能となって装着されている。
【００１５】
図３および図４は、作業者の手によってダストケース４を側方開口２９からケース支持部３１に挿入した直後の状態を示しており、まだ円筒部３８の外周面と環状壁３０の内周面との間に、全周にわたって空隙３９を有する状態を示している。その後、作業者が手を放すことにより、ダストケース４は自重で落下しその円筒部が環状壁３０の下面に載置された状態となる。
【００１６】
次に、このダストケース４の構造についてさらに具体的に説明する。このダストケース４には、その円筒部３８の上面中央部に開口した四角形の吐出口４５が、前記フィルタ室１７に設けた吸引口２７と対面した位置に設けられている。この吐出口４５の寸法は、吸引口２７の寸法と一致している。ダストケース４の内部は、大きく分けて集塵室４６と通風路４７とを区画する隔壁４８によって仕切られている。集塵室４６は、一端に円形の吸込口４９が、他端に円形の流出口５０がそれぞれ設けられ、この流出口５０に近接して円板の上部を切り取ったような肉厚の主フィルタ５１が着脱可能に取付けられている。また吸込口４９には、吸込ホース５への塵埃の逆流を防ぐために薄いゴム製の逆止弁５２が設けられるとともに、前記吸込ホース５の一端部が着脱可能に装着されている。
【００１７】
流出口５０の主フィルタ５１と反対側の通風路４７は、前記吐出口４５に連通している。この吐出口４５には、その上下方向にスライド可能に支持された四角形の磁性材料からなる連結管５５が設けられている。この連結管５５は、図３に示すように、下端部両脇にそれぞれストップ突起５６が一体的に設けられ、電動送風機１２の非駆動時には、自重によって隔壁４８の上面に乗って停止した状態となっている。なお、ダストケース４は、内部に主フィルタ５１を設けることが不要なサイクロン方式とすることもできる。
【００１８】
一方、特に図３、図６に示すように、連結管５５を内在させた吐出口４５の前後には、同一幅で直線状に配置した有底溝部である前方ガイド溝５７および後方ガイド溝５８とを有し、これらの端部にはさらに溝が深くなった前方段部５９と後方段部６０とが設けられている。さらにこの前方段部５９に連続して、ダストケース４の先端部に向い次第に溝が浅くなるとともに、その幅が広がっていく傾斜面となった周面ガイド溝６１が設けられている。
【００１９】
これらの前方ガイド溝５７、後方ガイド溝５８、前方段部５９、後方段部６０、周面ガイド溝６１には、他方のガイド機構として、ダストケース４をケース支持部３１に挿入する際に、前記一方のガイド機構である前記板バネ３４により付勢されたガイド突起３５が出没自在に係合し、挿入時から吸引口２７に対向する位置に吐出口４５が達するまで円周方向のガイドとなる。また、前方ガイド溝５７および後方ガイド溝５８は、前述のように板バネ３４で付勢されて突出孔３３から突出する一対のガイド突起３５が係合することにより、ダストケース４を前後方向すなわち掃除機本体３の左右方向に対し固定的に位置決めを行う位置決め機構となる。
【００２０】
これらの一方のガイド機構および他方のガイド機構は、掃除機本体３の中心に対して左右対称的であるために、掃除機本体３の左右、すなわちケース支持部３１の左右いずれの側方開口２９からもダストケース４を挿脱することができる。これは、作業者の利き腕に合わせて選択できるので便利である。
【００２１】
また、環状壁３０の円弧状の底部には、左右に離間して一対の出没孔６５が開口し、この出没孔６５からは、作動軸６６に固定された偏心カム６７の一部が出没するようになっている。作動軸６６は、環状壁３０の左右にある前記ガイド斜面３７に軸支され、その端部には操作レバー６８が設けられている。この操作レバー６８を作業者が回動させることにより偏心カム６７の一部が出没孔６５から次第に突出して、図５で示すように、ケース支持部３１の下端面である環状壁３０への接触状態から、ダストケース４をガイド突起３５を支持する板バネ３４の付勢力に抗して、ケース支持部３１の上端面である環状壁３０の最上部まで上方に押し上げることができる。これらがダストケース４を環状壁３０に向かって押しつけるための押圧機構６９となる。
【００２２】
この際、吸引口２７の周囲にある環状壁３０の表面には、図示しない薄いパッキングが接着されているために、ダストケース４が上昇して接触するときの衝撃を吸収するとともに、気密性を高めるようになっている。これにより、ダストケース４の吐出口４５と突出部２８の吸引口２７とが再接近して対向し、この状態を保持することができる。
【００２３】
この状態で電源スイッチをオンにすると、電動送風機１２が駆動されると同時に前記電磁石３６にも電気が供給され、電磁石３６の磁力作用により連結管５５が上方にスライドして引き上げられ吐出管４５から上方に突出する。そして、さらに連結管５５は、図８および図９に示すように、ストップ突起５６が吐出口４５の開口周縁に達するまで吸引口２７の内部に進出して嵌合し、通風路４７、吐出口４５、吸引口２７を外部に対し気密に連通する。連結管５５は、電動送風機１２および電磁石３６への電気の供給が停止されると、自重によりスライドして下方に落下し隔壁４８の上面に復帰する。
【００２４】
一方、図４に示すように、前記背負バンド２が設けられた本体ケース１０の表面には、クッション材となる背当パッド７０が接着して設けられている。この背当パッド７０は、中空のシート７３からなり、前記第２排気フィルタ１９に近接する本体ケース１０の流出孔２３に面して複数の連通孔７１が設けられるとともに、本体ケース１０と反対側の表面には小さな多数の排出口７２を有している。これらにより、電動送風機１２の排気風は、第２排気フィルタ１９、流出孔２３、連通孔７１を通過して背当パッド７０を構成するシート７３の中空部に流入したのち、多数の排気口７２から外部に排出されるようになっている。また、掃除機本体３の上部背面には、この背負式電気掃除機１の全ての電力源となる充電式のバッテリー７４が搭載されている。
【００２５】
次に、この背負式電気掃除機１を使用する場合について説明する。清掃作業が必要になったときに、図１に示すように、作業者は背負バンド２を利用して背中に掃除機本体３を背負い、図示しない電源スイッチをオンにする。これにより電動送風機１２が駆動されるとともに、電磁石３６に電力が供給され、その磁力により吐出口３７から連結管５５が突出して吸引口２７に挿入され、ダストケース４が本体ケース１０に連通接続される。そして、吸込ホース５に接続された把手パイプ６を持って、その先に接続された延長管７および吸込口体８を前後左右に移動させることにより、階段や室内等の必要な清掃作業を行うことができる。
【００２６】
この清掃作業において、吸込口体８から吸引された塵埃を含む空気は、延長管７、吸込ホース５、吸込口４９を通過してダストケース４の内部に流入する。そこで肉厚の主フィルタ５１によってほとんどの塵埃が捕捉され、集塵室４６に集積される。この主フィルタ５１により濾過されてた空気は、流出口５０および通風路４７を通って吐出口４５から掃除機本体３の吸引口２７を経由してフィルタ室１７に流入する。その後細塵を捕捉する補助フィルタ１６を通過して電動送風機１２に達する。
【００２７】
そして、電動送風機１２から排気された空気は、第１排気フィルタ１８を通過して排気カバー２２の排気孔２１から外部に放出するとともに、第２排気フィルタ１９を通過した空気は、流出孔２３、連通孔７１を通過して背当パッド７０のシート７３の中空部に流入したのち、多数の排気口７２から外部に放出する。これにより背当パッド７０のクッション効果が得られるとともに、排気風により作業者と本体ケース１０との間の除湿を行うことができる。なお、この背中に当たる風量を調整する場合には、図示していない切替レバーを操作して流出孔２３を開閉することにより可能となる。
【００２８】
その後、一定時間清掃作業を行った後、ダストケース４に収容された塵埃を外部に廃棄する場合には、掃除機本体３を背負ったままの状態で作業者が電源スイッチを切る。これにより電動送風機１２の駆動が停止されるとともに、電磁石３６の磁力が消えることによって連結管５５が自重でダストケース４に有する隔壁４８の上面に落下する。その後押圧機構６９である操作レバー６８を操作して作動軸６６および偏心カム６７を回動させることにより、ダストケース４が自重で下降し、ケース支持部３１を形成する環状壁３０の下面に載置された状態になる。
【００２９】
次に、作業者は背負ったままで、掃除機本体３に収容のダストケース４に接続された吸込ホース５の端部を握って、脇の下または腕の外側から側方に引出す。この時、環状壁３０の突出孔３３から出没自在に突出する一対のガイド突起３５は、ダストケース４の上面外周に設けられた後方段部６０、後方ガイド溝５８、前方ガイド溝５７、前方段部５９、周面ガイド溝６１をガイドして、ダストケース４が直線的に後方に移動してケース支持部３１から取り外すことを可能にしている。そして、取り外したダストケースに設けられた図示しないレバーを操作して図１１で示したようにダストケース４の一部を開放することにより、内部に収集された塵埃をゴミ箱内に落下させることができる。
【００３０】
その後、ダストケース４を閉鎖して円筒状態に復帰させ、作業者の利き腕により操作し易い方向である右または左の脇の下または腕の外側を通すとともに、吐出口３７が上面になるように位置させて、掃除機本体３の右または左の側方から吸込ホース５が接続されていない方の端部カバー４０を先にしてケース支持部３１に押し込む。この時、ダストケースの端部カバー４０の球面が、左右の側方開口２９に有するガイド斜面３７に案内されることにより、ダストケース４の先端部をケース支持部３１の内部に向かって円滑に挿入することができる。
【００３１】
次に、環状壁３０の突出孔３３から出没自在に突出する一対のガイド突起３５は、ダストケース４の移動中にその上面外周に設けられた周面ガイド溝６１、前方段部５９、前方ガイド溝５７、後方ガイド溝５８、後方段部６０をガイドして、ダストケース４を直線的に前方に移動してケース支持部３１に挿入とすることを可能にする。そして、一対のガイド突起３５が前方段部５９および後方段部６０に係合した状態で、ダストケース４はケース支持部３１の定位置に位置決めされ固定される。
【００３２】
その後、作業者は押圧機構６９を構成する操作レバー６８を回動させることにより、偏心カム６７の一部が出没孔６５から次第に突出して、図５で示すように、ケース支持部３１の下端面である環状壁３０への接触状態から、ダストケース４をガイド突起３５を支持する板バネ３４の付勢力の抗して、ケース支持部３１の上端面である環状壁３０の最上部まで上方に押し上げる。これにより、ダストケース４の吐出口３７と突出部２８の吸引口２７とが再び接近して対向し、この状態を保持することができる。ここで電源スイッチをオンとすれば、上述した清掃作業の再開が可能になる。
【実施例２】
【００３３】
次に、図１２から図１４により、この背負式電気掃除機１における掃除機本体３とダストケース４との接続部に関する他の実施例につき、実施例１と同一部分は同一符号を付して説明する。
【００３４】
フィルタ室１７に有する吸引口２７の下端内周部には係合段部７５が設けられ、この係合段部７５には、弾力性を有する天然ゴムまたは軟質の合成ゴムからなるほぼ四角形をした環状の連結パッキング７６が接着固定されている。この連結パッキング７６の下端は、ダストケース４の外周面に沿って湾曲するとともに、吸引口２７の下端面よりも多少下方に突出している。この連結パッキング７６の内周面は、吸引口２７の上部内周面と平滑状態となって吸引口２７の一部を構成している。
【００３５】
一方、ダストケース４の上面にある前方ガイド溝５７および後方ガイド溝５８と吐出口４５との境界部には、先方ガイド溝５７、後方ガイド溝５８の幅と高さに等しい溝部パッキング７８がそれぞれ設けられている。これらの溝部パッキング７８は、それぞれその下端部のみが吐出口４５の開口縁に接着固定され、上端部は前後に湾曲可能となっている。
【００３６】
次に、この実施例２における掃除機本体３に、ダストケース４を取付ける状態を説明する。ケース支持部３１にダストケース４を挿入した場合、一対のガイド突起３５は、実施例１と同様に、前方ガイド溝５７および後方ガイド溝５８などをガイドしていくが、ガイド突起３５が溝部パッキング７８に達したときは、これらを湾曲させながら乗り越えていって、前方段部５９および後方段部６０に係合し所定位置に収容される。
【００３７】
この状態で、図５に示すように、押圧機構６９を構成する操作レバー６８を回動させることにより、偏心カム６７の一部が出没孔６５から次第に突出して、ダストケース４をガイド突起３５を支持する板バネ３４の付勢力に抗して、ケース支持部３１を構成する環状壁３０の最上部まで空隙３９の間を上方に押しつける。これにより、ダストケース４の溝部パッキング７８を有する吐出口３７は、吸引口２７の連結パッキング７６の外周面に嵌合し、両者は気密状態に結合される。この状態で、電源スイッチをオンにすれば、清掃作業を開始することができる。
【００３８】
また、この実施例のダストケース４をケース支持部３１から取り出す時には、押圧機構６９の操作レバー６８を回動させ、偏心カム６７の一部を出没孔６５から没入させることにより、ダストケース４が自重により落下して吐出口３７と連結パッキング７６との嵌合が解かれる。これにより、ダストケース４を引出して塵埃を廃棄することが可能になる。
【００３９】
上記２つの実施例は、吸込ホース４をダストケース４の一方端部に取付ける場合を説明したが、これに限られることなく、掃除機本体３に吸込ホース４を取付けることも可能である。例えば、ケース支持部３１の環状壁３０に、掃除機本体３に取付けた吸込ホース４に連通する図示しない連結口を設け、この連結口に接合可能なダストケース４の位置に吸込口４９を設け、ダストケース４をケース支持部３１に挿入して保持された状態で、これらの連結口と吸込口４９とを気密に連通接続することにより、掃除機本体３に吸込ホース４を取付けることが可能となる。
【００４０】
また、上記実施例では、ダストケースの挿入時に吸引口と吐出口との位置を一致させるために、ガイド突起、前方ガイド溝、後方ガイド溝、周面ガイド溝などのガイド機構を設けたが、これらを省くことも可能である。例えば、ダストケースの吐出口をダストケースの先端にある端部カバーの中心部に円形に設け、吸引口をその吐出口の前方に位置させることにより、円周方向のガイド機構は不要となる。この場合、ケース支持部にダストケースを挿入する側方開口は、吐出口および吸引口を設けた一方の側方と反対側の側方のみに設けることになる。
【００４１】
さらに、ケース支持部の環状壁にダストケースを押圧するために、手動の偏心カムを用いて押圧機構としたが、これに限ることなく電動やエアー圧力によって行うことも可能である。
【００４２】
また、上記実施例において、ケース支持部の環状壁とダストケースの円筒部との間に空隙を設け、ダストケースの挿脱を容易にしたが、空隙を設けずに挿脱を可能にすることもできる。この場合には、ダストケースの押圧機構は不要になるとともに、電動送風機の吸引力だけでケース支持部の吸引口とダストケースの吐出口とを気密に接合することができる。
【図面の簡単な説明】
【００４３】
【図１】本発明による背負式電気掃除機の使用状態を示す斜視図である。（実施例１）
【図２】図１に示す背負式電気掃除機の拡大斜視図である。
【図３】図１に示す背負式電気掃除機の横方向の断面図である。
【図４】図１に示す背負式電気掃除機の縦方向の断面図である。
【図５】図１に示す背負式電気掃除機のダストケース押上げ機構の断面図である。
【図６】図１に示す背負式電気掃除機のダストケースの平面図である。
【図７】図１に示す背負式電気掃除機のダストケースの吐出口部分を現す分解斜視図である。
【図８】図１に示す背負式電気掃除機の作動状態を現す横方向の断面図である。
【図９】図８に示す背負式電気掃除機の縦方向の断面図である。
【図１０】図１に示す背負式電気掃除機の背当パッドを現す背面図である。
【図１１】図１に示す背負式電気掃除機のダストケースの使用状態を現す斜視図である。
【図１２】本発明による背負式電気掃除機の他の実施例のダストケース結合部を現す横方向の断面図である。（実施例２）
【図１３】図１２に示す背負式電気掃除機のダストケース結合部を現す縦方向の断面図である。
【図１４】図１２に示す背負式電気掃除機のダストケースの吐出口部分を現す斜視図である。
【符号の説明】
【００４４】
１    背負式電気掃除機
２    背負バンド
３    掃除機本体
４    ダストケース
５    吸込ホース
８    吸込口体
１２  電動送風機
２７  吸引口
２９  側方開口
３０  環状壁
３１  ケース支持体
３５  ガイド突起（ガイド機構）（位置決め機構）
３７  ガイド斜面
４５  吐出口
４９  吸込口
５７  前方ガイド溝（ガイド機構）
５８  後方ガイド溝（ガイド機構）
５９  前方段部（位置決め機構）
６０  後方段部（位置決め機構）
６１  周面ガイド溝（ガイド機構）
６９  押圧機構
【図１】
2005334449.tif 000003
【図２】
2005334449.tif 000004
【図３】
2005334449.tif 000005
【図４】
2005334449.tif 000006
【図５】
2005334449.tif 000007
【図６】
2005334449.tif 000008
【図７】
2005334449.tif 000009
【図８】
2005334449.tif 000010
【図９】
2005334449.tif 000011
【図１０】
2005334449.tif 000012
【図１１】
2005334449.tif 000013
【図１２】
2005334449.tif 000014
【図１３】
2005334449.tif 000015
【図１４】
2005334449.tif 000016